(57)【要約】【課題】パッシブ・マトリクス方式で発光制御するフラットパネル・ディスプレイ装置において、有機ＥＬ素子に絶縁不良による短絡が発生した場合に焼損などから保護すること。【解決手段】走査ライン上の発光素子ごとに画像データに応じた電力を供給するデータ・ドライバ回路と、走査ドライバ回路とデータ・ドライバ回路とを制御するコントローラ回路と、有機ＥＬ素子の１つあるいは複数が、短絡あるいは類似する状態となり、正常時と異なる電流を流した場合に、走査ドライバ回路を流れる電流の増加を検出し、電流に比例した信号を出力する電流検出回路と、電流検出回路からの信号を所定の閾値と比較し、比較結果を出力するコンパレータと、少なくとも走査ドライバ回路を流れる電流を遮断する遮断手段とを備えた駆動回路とし、コンパレータからの異常を表す信号に基づいて遮断手段を駆動して、電流検出回路の電流の増加を禁止する。【選択図】図１
2007248902.tif 000002
【特許請求の範囲】
【請求項１】
格子状に配置された複数の電極線の交点部分に接続した有機ＥＬ素子を、前記電極線を介して電力を供給することによりパッシブ・マトリクス方式で発光制御するフラットパネル・ディスプレイ装置において、
発光素子をマトリクス状に配置したディスプレイ・パネル本体と、
前記格子状の電極線のうちの１つの方向を有するそれぞれの電極線を介して発光させる走査ラインを選択する走査ドライバ回路と、
前記格子状の電極線のうちの異なる方向を有するそれぞれの電極線を介して選択された走査ライン上の発光素子ごとに画像データに応じた電力を供給するデータ・ドライバ回路と、
前記走査ドライバ回路とデータ・ドライバ回路とを制御するコントローラ回路と、
前記有機ＥＬ素子の１つあるいは複数が、短絡あるいは類似する状態となり、正常時と異なる電流を流した場合に、前記走査ドライバ回路を流れる電流の増加を検出し、電流に対応した信号を出力する電流検出回路と、
前記電流検出回路からの信号を所定の閾値と比較し、比較結果を出力するコンパレータと、
少なくとも前記走査ドライバ回路を流れる電流を遮断する遮断手段と、
を備え
前記コンパレータからの異常を表す信号に基づいて前記遮断手段が駆動され、前記電流検出回路の電流の増加を禁止することを特徴とするフラットパネル・ディスプレイ装置。
【請求項２】
前記コントローラ回路は、前記コンパレータから出力を入力し、異常を表す出力を入力した際に、前記遮断手段を制御して、前記電流検出回路の電流の増加を禁止することを特徴とする請求項１に記載のフラットパネル・ディスプレイ装置。
【請求項３】
前記走査ドライバは、そのそれぞれ出力をハイ・インピーダンスにすることが可能であり、
前記コントローラ回路は、前記コンパレータから出力を入力し、前記コンパレータからの異常を表す出力を入力した際に、前記走査ドライバの出力をハイ・インピーダンスにすることを特徴とする請求項１に記載のフラットパネル・ディスプレイ装置。
【請求項４】
前記コントローラ回路は、
前記コンパレータから入力した信号に基づいて、前記異常電流を生じされた走査ラインを特定することが可能であり、
前記異常電流を生じされた走査ラインを特定した場合、その走査ラインの走査ドライバの出力をハイ・インピーダンス状態に維持することを特徴とする請求項３に記載のフラットパネル・ディスプレイ装置。
【請求項５】
前記コントローラ回路は、
前記コンパレータから入力した信号に基づいて、前記異常電流を生じされた走査ラインを特定することが可能であり、
前記異常電流を生じされた走査ラインを特定した場合、その走査ラインの走査ドライバの出力を、有機ＥＬ素子の発光を禁止するレベルの代わりにハイ・インピーダンス状態にすることを特徴とする請求項３に記載のフラットパネル・ディスプレイ装置。
【請求項６】
前記コントローラ回路は、
前記コンパレータから異常を表す信号を入力した場合に、外部に異常の発生を通知する機能と、
外部から特定の走査ドライバの出力状態ハイ・インピーダンスに維持する信号を受ける機能と
を有することを特徴とする請求項３に記載のフラットパネル・ディスプレイ装置。
【請求項７】
前記電流検出回路は発光ダイオードを備え、
前記電流検出回路からの信号を所定の閾値と比較し、比較結果を出力するコンパレータは、前記電流検出回路からの信号を、高域成分をカットするフィルタを介して比較することを特徴とする請求項１に記載のフラットパネル・ディスプレイ装置。
【請求項８】
格子状に配置された複数の電極線の交点部分に接続した有機ＥＬ素子を、前記電極線を介して電力を供給することによりパッシブ・マトリクス方式で発光制御するフラットパネル・ディスプレイ装置であって、発光素子をマトリクス状に配置したディスプレイ・パネル本体と、前記格子状の電極線のうちの１つの方向を有するそれぞれの電極線を介して発光させる走査ラインを選択する走査ドライバ回路と、前記格子状の電極線のうちの異なる方向を有するそれぞれの電極線を介して選択された走査ライン上の発光素子ごとに画像データに応じた電力を供給するデータ・ドライバ回路と、前記走査ドライバ回路とデータ・ドライバ回路とを制御するコントローラ回路とを備えたフラットパネル・ディスプレイ装置における有機ＥＬ素子の駆動方法において、
前記有機ＥＬ素子の１つあるいは複数が、短絡あるいは類似する状態となり、正常時と異なる電流を流した場合に、前記走査ドライバ回路を流れる電流の増加を検出して、所定の閾値と比較し、
比較結果が前記閾値を超えたことを示す場合に、少なくとも前記走査ドライバ回路を流れる電流を遮断することを特徴とする有機ＥＬ素子の駆動方法。
【発明の詳細な説明】
【技術分野】
【０００１】
本発明は、有機エレクトロ・ルミネッセンス（ＥＬ）ディスプレイに関し、より詳細には、マトリクス状に配置された各有機ＥＬ素子に外部から電力を供給して画面を発光させる、パッシブ・マトリクス駆動において、有機ＥＬ素子に絶縁不良による短絡（以下リークと呼ぶ）が発生した場合の保護機能を有するフラットパネル・ディスプレイ装置に関する。
【背景技術】
【０００２】
有機ＥＬディスプレイとは、有機ＥＬ素子を平面上にマトリクス状に配置した薄型の表示装置である。有機ＥＬ素子とは有機材料から作られた発光素子である。
【０００３】
図６は、有機ＥＬ素子を使用したディスプレイの構造を示している。ガラス基板１４上にデータ線（陽極）４、その上部に有機ＥＬのサンドイッチ構造、さらにその上部に走査線（陰極）５が設けられている。有機ＥＬのサンドイッチ構造は、上部から電子注入層１１１、電子輸送層１１２、発光層１１３、正孔輸送層１１４、正孔注入層１１５などの機能性有機材料からなる薄膜を積層した構造をもつ。このＥＬ素子は、電流を流すことで、熱をほとんど出さずに発光し、その輝度（発光量）は電流密度にほぼ比例する。図７は、このＥＬ素子の電圧−電流特性を示している。図７に示すように、有機ＥＬ素子は、ダイオードのような整流性を有している。このように、有機ＥＬ素子の特性は、半導体を用いた一般的な発光ダイオードとよく似ていることから、有機発光ダイオード（Organic Light-Emitting Diode :ＯＬＥＤ）とも呼ばれている。
【０００４】
液晶ディスプレイと同じように、ドット・マトリクス方式の有機ＥＬディスプレイは、アクティブ・マトリクス駆動とパッシブ・マトリクス駆動に大別することができる。ここでは、その構造がシンプルなために、単純マトリクス駆動とも呼ばれるパッシブ・マトリクス駆動（たとえば、特許文献１あるいは２を参照）を適用した有機ＥＬディスプレイの構成および動作原理を説明する。
【０００５】
図２は、マトリクス接続構造の有機ＥＬ素子１と、従来の単純マトリクス駆動回路を示している。なお、図２では、有機ＥＬ素子を、ダイオードｌｌと寄生静電容量１２とを並列接続したもので表記している。一般的に、ＥＬ素子は薄膜である有機発光材料を電極で挟み込んだ構造のため、寄生静電容量が大きい。図２は、各有機ＥＬ素子の陽極側をデータ・ドライバ２で電流駆動し、陰極側を走査ドライバ３で走査する構成の回路を示している。これとは逆に、陽極側を走査し、陰極側を電流駆動する構成の回路も可能である。
【０００６】
これらのドライバはコントローラＩＣ６により駆動される。データ・ドライバ２の符号２１は電流源回路であり、符号２３は、電子スイッチを示している。図においては、走査ドライバは、原理的には、プル機能（逆の構成の場合は、プッシュ機能）のみが必要であるが、プッシュ機能を備えたプッシュプル回路を示している。データ・ドライバ２からの陽極４と、走査ドライバからの陰極５からの各電極線を格子状に配置し、その交点部分に各有機ＥＬ素子は接続している。ここで、列方向（縦）に延びた陽極をデータ線と呼び、行方向（横）に延びた陰極を走査線と呼ぶ。
【０００７】
走査ドライバ３は、複数の走査線のうちのひとつの走査線を選択しこの走査線の電位をＬｏｗ（接地）電位にする。ほかの走査線はすべてＨｉ電位にしてＥＬ素子を逆バイアスする。データ・ドライバ２は、選択された走査線上にあるＥＬ素子に電流を供給する。ここでデータ・ドライバの出力段は電流源回路２１になっており、発光させるべき輝度データに応じた電流を供給する。したがって、この電流源回路２１の設定は、基本的には走査線ごとに異なることになる。データ・ドライバ２が供給した電流は、選択した走査線上にあるＥＬ素子にのみ流れる。それ以外の走査線上にあるＥＬ素子は逆バイアスされているため電流は流れない。
【０００８】
走査線の選択を順次切り替えて行くことで、最終的に、すべての有機ＥＬ素子を駆動することが可能になり、それによりマトリクス全体の有機ＥＬ素子が発光しているように視認させることが可能になり、それぞれの素子の輝度を制御することにより所望の画像を表示させることができる。
【０００９】
なお、データ・ドライバ２１のスイッチ２３の存在、および走査ドライバの出力段のプッシュプルによる構成が、それぞれの素子を逆バイアスに制御することによって、誤発光を防止したり、後述する寄生容量の充電状態をそれぞれの素子で同一にして輝度ムラが発生したりすることを防止する役目を負っている（たとえば、特許文献２を参照）。したがって、これらの構成は、通常のパッシブ・マトリクス駆動で輝度ムラが無い発光を行わせる場合には、なくてはならないものとなっている。
【００１０】
【特許文献１】特開平１１−３１１９７８号公報
【特許文献２】特開平９−２３２０７４号公報
【発明の開示】
【発明が解決しようとする課題】
【００１１】
しかしながら、前述のパッシブ・マトリクス形有機ＥＬディスプレイにおいて、有機薄膜の絶縁不良から、ある有機ＥＬ素子の陽極一陰極間が短絡されることがある（以下この短絡現象を“リーク”と呼ぶ）。単純マトリクス、すなわちパッシブ・マトリクスの場合、通常では、ＥＬ素子は寄生静電容量への充放電を別にすれば、ＥＬ素子には選択期間中しか電流は流れない。しかし、短絡した素子には、定常的に非選択期間中にも、走査ドライバを介して発光時とは逆向きの電流が流れてしまう。この電流経路は、走査ドライバと有機ＥＬ素子を介するのみであり、この走査ドライバには電流制限などの回路がないため、この場合の電流は大きく、短絡素子周辺が発熱しパネルを焼損させるという問題があった。
【００１２】
図３は、このような場合を説明する図であり、各有機ＥＬ素子の陽極側をデータ・ドライバ２で電流駆動し、陰極側を走査ドライバ３で走査する構成の回路において、有機ＥＬ素子１３に欠陥がありその陽極一陰極間が短絡している場合を示している。欠陥素子１３がある走査ラインが非選択状態のとき、この走査ラインは正電源２２に接続されＨｉ電位になっている。走査ドライバの正電源から、短絡素子を介してそのデータ線に正電圧が供給され、選択された走査ライン上のＥＬ素子を通って電流が流れる。この電流は、電流制限がないために、データ・ドライバの電流源から供給されるＥＬ駆動電流よりも大きな電流となる。
【００１３】
たとえば走査ラインが１００本のパネルの場合、正常な場合に、正常な素子には、データ・ドライバによって電流制限された正常なＥＬ駆動電流が選択期間（＝１／１００デューティー比）中のみ流れる。
【００１４】
図４は、このような状態における図３に示した走査ドライバに、正電源から供給される（流れ込む）電流の時間経過を示している。図中で、上下へのトランジェントは、水平ブランキングに伴うものである。図における上方向へのトランジェントには、走査ドライバの出力がハイ（ＶＣＣ側になる）になった場合に、マトリクスの寄生静電容量を介して流れる電流が示している。この電流は、図３の太線に示すような経路で流れる。
【００１５】
この図４に示す電流を水平ブランキングに伴うトランジェントをハイカット・フィルタで除去すると直流となり、時間的には一定に値になることが理解されよう。
【００１６】
短絡した素子がある場合、その短絡した素子には、正常な駆動電流より大きな電流が非選択期間（＝９９／１００デューティー比）中、通常の方向（発光時の電流）とは逆に流れる。選択期間（＝１／１００デューティー比）中には、正常な方向に、正常なＥＬ駆動電流が流れる。また、この場合の異常が発生した走査ライン以外の走査ライン上の正常な素子には、正常な駆動電流より大きな電流が選択期間（＝1／１００デューティー比）に流れることになる。したがって、この経路で消費される電力は、特に短絡した素子部や、短絡した走査ラインを駆動する走査ドライバで消費される電力は、相当大きなものとなる。
【００１７】
図５は、マトリクス内の有機ＥＬ素子の１つが短絡、もしくはそのダイオード特性が失われた場合の、図３に示した走査ドライバに、正電源から供給される（流れ込む）電流の時間経過を示している。この図では、左端部の発光期間は、図３の最上部の走査ラインを駆動している時間、次の右側の発光期間は中央の走査ラインを走査している時間、そして３番目の発光期間は、欠陥のある有機ＥＬ素子１３を含む走査ラインを駆動していることを表している。欠陥のある有機ＥＬ素子１３を含む走査ラインを駆動している期間のみ、（データ・ドライバの電流源によって）正常時と同じ電流値となり、以外の期間には、図３の太線で示した電流が流れることによって、正常時よりも大きな電流値が流れることを示している。
【００１８】
このため短絡した素子には通常の場合より実質的に１００倍以上の電流が流れることとなり、この状態が継続した場合、発熱が積算されて、その周辺が焼損を起こすことになる。すなわち、短絡した素子だけでなく、その素子の周辺の素子にまで悪影響を及ぼすことになり、表示装置としての機能を大幅に損なうことになる。
【００１９】
本発明は、このような問題に鑑みてなされたもので、その目的とするところは、有機ＥＬを使用したフラットパネル・ディスプレイにおいて、有機薄膜の絶縁不良から、ある有機ＥＬ素子の陽極一陰極間が短絡されたような状態を検出し、その短絡が他に及ぼす影響を最小限に食い止めることを可能にする駆動回路、あるいはフラットパネル・ディスプレイ装置を提供することにある。
【課題を解決するための手段】
【００２０】
このような目的を達成するために、請求項１に記載の発明は、格子状に配置された複数の電極線の交点部分に接続した有機ＥＬ素子を、前記電極線を介して電力を供給することによりパッシブ・マトリクス方式で発光制御するフラットパネル・ディスプレイ装置において、発光素子をマトリクス状に配置したディスプレイ・パネル本体と、前記格子状の電極線のうちの１つの方向を有するそれぞれの電極線を介して発光させる走査ラインを選択する走査ドライバ回路と、前記格子状の電極線のうちの異なる方向を有するそれぞれの電極線を介して選択された走査ライン上の発光素子ごとに画像データに応じた電力を供給するデータ・ドライバ回路と、前記走査ドライバ回路とデータ・ドライバ回路とを制御するコントローラ回路と、前記有機ＥＬ素子の１つあるいは複数が、短絡あるいは類似する状態となり、正常時と異なる電流を流した場合に、前記走査ドライバ回路を流れる電流の増加を検出し、電流に対応した信号を出力する電流検出回路と、前記電流検出回路からの信号を所定の閾値と比較し、比較結果を出力するコンパレータと、少なくとも前記走査ドライバ回路を流れる電流を遮断する遮断手段と、を備え、前記コンパレータからの異常を表す信号に基づいて前記遮断手段が駆動され、前記電流検出回路の電流の増加を禁止することを特徴とするものである。
【００２１】
また、請求項２に記載の発明は、請求項１に記載のフラットパネル・ディスプレイ装置であって、前記コントローラ回路は、前記コンパレータから出力を入力し、異常を表す出力を入力した際に、前記遮断手段を制御して、前記電流検出回路の電流の増加を禁止することを特徴とするものである。
【００２２】
また、請求項３に記載の発明は、請求項１に記載のフラットパネル・ディスプレイ装置であって、前記走査ドライバは、そのそれぞれ出力をハイ・インピーダンスにすることが可能であり、前記コントローラ回路は、前記コンパレータから出力を入力し、前記コンパレータからの異常を表す出力を入力した際に、前記走査ドライバの出力をハイ・インピーダンスにすることを特徴とするものである。
【００２３】
また、請求項４に記載の発明は、請求項３に記載のフラットパネル・ディスプレイ装置であって、前記コントローラ回路は、前記コンパレータから入力した信号に基づいて、前記異常電流を生じされた走査ラインを特定することが可能であり、前記異常電流を生じされた走査ラインを特定した場合、その走査ラインの走査ドライバの出力をハイ・インピーダンス状態に維持することを特徴とするものである。
【００２４】
また、請求項５に記載の発明は、請求項３に記載のフラットパネル・ディスプレイ装置であって、前記コントローラ回路は、前記コンパレータから入力した信号に基づいて、前記異常電流を生じされた走査ラインを特定することが可能であり、前記異常電流を生じされた走査ラインを特定した場合、その走査ラインの走査ドライバの出力を、有機ＥＬ素子の発光を禁止するレベルの代わりにハイ・インピーダンス状態にすることを特徴とするものである。
【００２５】
また、請求項６に記載の発明は、請求項３に記載のフラットパネル・ディスプレイ装置であって、前記コントローラ回路は、前記コンパレータから異常を表す信号を入力した場合に、外部に異常の発生を通知する機能と、外部から特定の走査ドライバの出力状態ハイ・インピーダンスに維持する信号を受ける機能とを有することを特徴とするものである。
【００２６】
また、請求項７に記載の発明は、前記電流検出回路は発光ダイオードを備え、請求項１に記載のフラットパネル・ディスプレイ装置であって、前記電流検出回路からの信号を所定の閾値と比較し、比較結果を出力するコンパレータは、前記電流検出回路からの信号を、高域成分をカットするフィルタを介して比較することを特徴とするものである。
【００２７】
請求項８に記載の発明は、格子状に配置された複数の電極線の交点部分に接続した有機ＥＬ素子を、前記電極線を介して電力を供給することによりパッシブ・マトリクス方式で発光制御するフラットパネル・ディスプレイ装置であって、発光素子をマトリクス状に配置したディスプレイ・パネル本体と、前記格子状の電極線のうちの１つの方向を有するそれぞれの電極線を介して発光させる走査ラインを選択する走査ドライバ回路と、前記格子状の電極線のうちの異なる方向を有するそれぞれの電極線を介して選択された走査ライン上の発光素子ごとに画像データに応じた電力を供給するデータ・ドライバ回路と、前記走査ドライバ回路とデータ・ドライバ回路とを制御するコントローラ回路とを備えたフラットパネル・ディスプレイ装置における有機ＥＬ素子の駆動方法において、前記有機ＥＬ素子の１つあるいは複数が、短絡あるいは類似する状態となり、正常時と異なる電流を流した場合に、前記走査ドライバ回路を流れる電流の増加を検出して、所定の閾値と比較し、比較結果が前記閾値を超えたことを示す場合に、少なくとも前記走査ドライバ回路を流れる電流を遮断することを特徴とする。
【発明の効果】
【００２８】
本発明によれば、有機ＥＬ素子のリークの発生がパネルの焼損など重大故障に発展するのを防止することができる。本発明によれば、パネルにリークが発生したときにすばやくこれによる電流の増加を検出し電源をシャットダウンすることによって、異常電流によるディスプレイの焼損など重大な事故につながることを防止することができる。
【００２９】
さらに、有機ＥＬ素子のリークの発生がパネルの焼損など重大故障に発展するのを防止するとともに、異常な素子を有する走査ライン以外の他の走査ラインは（ほぼ）正常に表示させることができることにある。
【００３０】
また、異常な素子を有する走査ラインであっても、異常な素子以外の素子の表示を、他の走査ラインと同じような特性や性能ではないとしても、表示させることができることにある。
【発明を実施するための最良の形態】
【００３１】
以下、図面を参照して本発明の実施例について説明する。
【００３２】
図１は、本発明の有機ＥＬディスプレイの駆動回路の一実施例の回路構成を示す図である。なお、図２と同じように、有機ＥＬ素子の陽極を電流駆動し、陰極を走査駆動する場合を示している。有機ＥＬ素子の陰極を電流駆動し、陽極を走査駆動する場合にも、図１に示した構成を適用できることは、当業者であれば容易に理解されることである。
【００３３】
図１には、図２に示した従来の回路構成に対して、リーク電流検出機構７と、データ・ドライバ２および走査ドライバ３への電源供給ラインと正電源２２との間に配置した電子スイッチ２３が追加されている。なお、図３と、同様部分は、同じ参照符号を使用し、説明を省略する。なお、リーク電流検出機構７や電子スイッチ２３は、走査ドライバＩＣ３、データ・ドライバＩＣ２など他のＩＣに内蔵しても良い。
【００３４】
リーク電流検出機構７は、有機ＥＬ素子のそれぞれの走査ドライバ全体（図の場合、走査ドライバＩＣ３）の正電源（ＶＣＣ）ラインに、その電流の大きさを検出する素子を備えている。
【００３５】
図１は、上述したように陽極側を電流駆動し、陰極側を走査する場合を示している。したがって、異常電流は、図３の太線に示すような経路で流れる。言い換えれば、走査ドライバの、通常であれば、有機ＥＬ素子を逆バイアスする出力レベルのドライバから、データ・ドライバの電流源以上の電流を、有機ＥＬのマトリクスに対して流し出すことになる。これとは逆の、陽極側を走査し、陰極側を電流駆動する構成の場合、リーク電流検出機構７は、たとえば、走査ドライバから負電源側（あるいは接地側）に向けて流れる電流を検出することになる。この場合、有機ＥＬ素子を逆バイアスする出力レベル（ロー・レベル）のドライバが、データ・ドライバの電流源以上の電流を、有機ＥＬのマトリクスから流し出すことになる。
【００３６】
したがって、図１とは逆の陽極側を走査し、陰極側を電流駆動する構成の場合、リーク電流検出機構７は、走査ドライバのマイナス側（あるいは、正電源のみを使用している場合は、接地側）に流れる電流を検出することになる。
【００３７】
上述したように、図１に示した構成が正常に動作する限り、正電源から走査ドライバを介してマトリクスに流出する電流（逆の構成の場合は、マトリクスから流出する）は、有機ＥＬ素子の寄生静電容量への充放電を除き、基本的にはない。正電源から走査ドライバに向けて流れる別の電流は、走査ドライバＩＣ３がそれ自体で消費する電流であり、これには、定常的にドライバＩＣ３に流れる定常電流と、その内部の素子の状態が変化する際の過渡電流とがある。この過渡電流は、有機ＥＬ素子に電流を流す時間に較べたら、時間的に短いものである。しかし、有機ＥＬ素子が短絡した場合、大きな電流が、継続して正電源からマトリクスに流れ出すことになる。この有機ＥＬ素子の短絡時のこの電流の増加を、上述したように、リーク電流検出機構７で検出する。この実施形態では、そのようなリーク電流の検出手段として、発光ダイオードとフォト・ダイオードを組み合わせたフォト・カプラ２６の使用している。このため、電流検出部分の電位と、電流検出以後の回路の電位とを電気的に分離することができ、マトリクス駆動に起因するノイズ等の影響を排除した、電流検出を行うことが容易になる。
【００３８】
図１のリーク電流検出機構７は、動作を説明するための１実施例としての基本的な回路構成を示している。したがって、ダイオードの温度特性を補償するような構成を示してはいない。ダイオードの温度特性を補償するような構成は、当業者には周知であるとする。例示フォト・カプラ２６の受光側のダイードを逆バイアスで使用し、直列に接続した負荷抵抗ＲＬの両端電圧をオペ・アンプ２７に入力する。このオペ・アンプは出力から抵抗ＲとコンデンサＣによって負帰還がかけられ、高域成分がカットされた信号を増幅する。このフィルタ特性は、通常流れる水平ブランキングに伴うトランジェント成分（有機ＥＬの寄生静電容量への充放電や、ドライバ回路のスイッチング時の過度電流などを含む）はカットし、リーク発生時に流れる直流的な異常電流だけを検出する時定数を有する。
【００３９】
このオペ・アンプの出力はコンパレータ２８に入力され、コンパレータ２８の出力は、コントローラＩＣ６に入力され、コントローラＩＣ６は、このコンパレータからの入力、すなわちリーク電流検出機構７からの出力に基づいて、電子スイッチ２３を制御する。
【００４０】
以下にリーク発生時の回路動作を説明する。
【００４１】
正電源ＶＣＣ２２から走査ドライバＩＣ３へ流れる電流をフォト・カプラ２６とオペ・アンプ回路２７によって検出する。（なおフォト・カプラと並列に接続したダイオード２５は、走査ドライバＩＣから正電源ＶＣＣへ流れるリプル電流を流すためのパスである。）このとき、オペ・アンプ回路は増幅機能の他にローパス・フイルタとしての機能を有している。
【００４２】
検出した値の直流成分を含む電流変化が増幅され、その出力が、コンパレータ２８によって所定の閾値Ｖと比較される。ここで、この閾値は、正常時の電流値と異常時に増加する電流値の中間値が望ましい。検出した電流値が閾値を越えた場合に、走査ＩＣ３に異常が発生したか、あるいは有機ＥＬ素子のマトリクスにリークが発生したものと判断される。
【００４３】
コンパレータ出力はコントローラＩＣへ接続され、このコントローラＩＣは、データ・ドライバ、走査ドライバおよび電子スイッチ２３を駆動している。
【００４４】
コントローラは、コンパレータからの異常を示す出力を入力すると、電子スイッチ２３を制御してディスプレイの電源をシャットダウンする。このシャットダウン制御は、コントローラＩＣ６へのコンパレータからの信号のその後の変化如何に関わらず、維持される。したがって有機ＥＬ素子の発光が停止されることになる。この場合、たとえば、図３で太線で示す電流が流れなくなる。
【００４５】
本発明の第２の実施形態では、電子スイッチ２３を、図１に示す位置ではなく、電流検出のライン上に設ける。コントローラＩＣ６がコンパレータ２８からの異常を表す信号を受けた場合に、電流検出部に電流が流れないようにこの電子スイッチを制御する。この場合でも、発明の効果は、図１に示す構成の場合と同様である。
【００４６】
本発明の第３の実施形態として、電子スイッチを設ける代わりに、走査ドライバの各出力段をハイ・インピーダンスすることが可能な構成とする。この場合、コントローラＩＣがコンパレータからの異常を表す信号を受けた場合に、走査ドライバの各出力段をハイ・インピーダンスとする。この場合でも、発明の効果は、図１に示す構成の場合と同様である。
【００４７】
本発明の第４の実施形態として、走査ドライバの各出力段をそれぞれ独立にハイ・インピーダンスにすることが可能な構成とする。この場合、コントローラＩＣがコンパレータからの異常を表す信号を受けた場合に、まず走査ドライバの各出力段をハイ・インピーダンスとする。次に、ユーザからの指示信号などを受けて、走査ドライバそれぞれを順次駆動しながら、コンパレータからの信号を確認し、電流異常を示さない走査ドライバを識別する。ここで、電流異常を示さない走査ドライバとは、そのドライバから異常電流が流れ出ていたことを示している。コントローラＩＣは、電流異常を示さない走査ドライバを識別すると、そのドライバの出力のみをハイ・インピーダンスに維持する。この場合、図３において、走査ドライバの電源ラインから有機ＥＬ素子１３に向かう経路のみが存在しないことになる。この実施形態の場合、複数の走査ライン上の有機ＥＬ素子に劣化等があって異常電流の発生要因となっている場合、上述した処理を複数回繰り返す必要がある。
【００４８】
この第４の実施形態の特徴は、異常な素子を有する走査ライン以外の他の走査ラインはほぼ正常に表示させることができることにある。
【００４９】
上述した第４の実施形態の変形として第５の実施形態を説明する。この第５の実施形態では、特定のドライバの出力をハイ・インピーダンスに維持するのではなく、この特定のドライバの出力として、本来的にハイとなるべき入力を受けた場合のみ、その出力をハイ・インピーダンスとする。この第５の実施形態の特徴は、第４の実施形態の特徴に加えて、異常な素子を有する走査ラインを、他の走査ラインと同じような特性や性能で表示させることはできないが、とにかく、異常な素子を除く他の素子の発光制御を行うことができることにある。
【００５０】
また、他の実施形態では、コントロールＩＣは、コンパレータからの異常を表す信号を受けた場合に、上述した第１あるいは第２の実施形態の動作を実行し、さらに、図示しない外部に対して信号を送り、対話を開始する。この対話を介して、コントローラが上述した第３、第４、あるいは第５の実施形態を実施する構成とする。この場合、上述した第３、第４、あるいは第５の実施形態を実施する場合にコントローラに必要とされる機能の多くを外部装置で実施することになり、コントローラが有する機能を整理することが可能となる。
【００５１】
なお、上述したように、図１に示した構成とは逆に、陽極側を走査し、陰極側を電流駆動する構成の場合、リーク電流検出機構７は、走査ドライバのマイナス側（あるいは、正電源のみを使用している場合は、接地側）に流れる電流を検出し、上述した第５の実施形態においては、本来的にローとなるべき入力を受けた場合のみ、その出力をハイ・インピーダンスとすることになる。
【図面の簡単な説明】
【００５２】
【図１】本発明にしたがった、パッシブ・マトリクス形有機ＥＬディスプレイの回路構成の例を示す図である。
【図２】図１の回路構成に対応する従来の単純マトリクスあるはパッシブ・マトリクスの回路構成を示す図である。
【図３】単純マトリクスあるはパッシブ・マトリクスリーク発生時の異常電流の経路等を説明する図である。
【図４】単純マトリクスあるはパッシブ・マトリクスの回路構成における正常時の走査ドライバ部に流れる電流を示す図である。
【図５】単純マトリクスあるはパッシブ・マトリクスの回路構成における異常時で、有機ＥＬ素子がダイオード特性を示さずに短絡状態になった場合の走査ドライバ部に流れる電流を示す、短絡状態になった走査ラインの駆動する近傍の電流を示す図である。
【図６】有機ＥＬディスプレイの画像表示部の構造を示す図である。
【図７】有機ＥＬ素子の電圧一電流特性を示す図である。
【符号の説明】
【００５３】
１    単純マトリクス構造の画像表示部
２    データ・ドライバ
３    走査ドライバ
４    データ線（陽極）
５    走査線（陰極）
６    コントローラＩＣ
７    リーク電流検出機構
１１    有機ＥＬ素子
１２    有機ＥＬ素子の寄生静電容量
１３    欠陥素子（短絡しているＥＬ素子）
１４    ガラス基板
２１    電流源回路
２２    正電圧電源
２３    電子スイッチ
２５    ダイオード
２６    フォト・カプラ
２７    オペ・アンプ回路
２８    コンパレータ
１１１    電子注入層
１１２    電子輸送層
１１３    発光層
１１４    正孔輸送層
１１５    正孔注入層
Ｒ    抵抗
ＲＬ    負荷抵抗
Ｃ    コンデンサ
Ｖ    可変設定電圧
【図１】
2007248902.tif 000003
【図２】
2007248902.tif 000004
【図３】
2007248902.tif 000005
【図４】
2007248902.tif 000006
【図５】
2007248902.tif 000007
【図６】
2007248902.tif 000008
【図７】
2007248902.tif 000009